【手続補正書】
【提出日】平成18年8月10日(2006.8.10)
【手続補正１】
【補正対象書類名】明細書
【補正対象項目名】全文
【補正方法】変更
【補正の内容】
【書類名】      明細書
【発明の名称】  受信装置および受信方法
【特許請求の範囲】
【請求項１】  第１のチューナおよび第２のチューナを使用してそれぞれ無線放送を受信可能な受信装置であって、
前記第１のチューナを使用した場合における前記無線放送の受信品質と、前記第２のチューナを使用した場合における前記無線放送の受信品質と、をそれぞれ評価する品質評価手段と、
前記品質評価手段による評価結果をもとに、出力内容を決定する出力制御手段と、を備え、
前記第１のチューナおよび／または前記第２のチューナは、車載テレビ装置に対して外部接続可能であることを特徴とする受信装置。
【請求項２】  前記出力制御手段は、前記第１のチューナを使用した場合における前記無線放送の受信品質と、前記第２のチューナを使用した場合における前記無線放送の受信品質とを比較し、受信品質が高いチューナを用いて受信した放送を優先的に出力し、前記優先的に出力する放送をモニタ上に表示する場合に、該優先的に出力する放送を表示画面上の助手席側に表示することを特徴とする請求項１に記載の受信装置。
【請求項３】  前記第１のチューナがデジタルチューナであり、前記第２のチューナがアナログチューナである場合に、前記出力制御手段は、前記第１のチューナを使用した場合における前記無線放送の受信品質が閾値以上であれば前記第１のチューナを用いて受信した放送を優先的に出力し、前記優先的に出力する放送をモニタ上に表示する場合に、該優先的に出力する放送を表示画面上の助手席側に表示することを特徴とする請求項１に記載の受信装置。
【請求項４】  前記出力制御手段は、前記車載テレビ装置が設けられた車両が走行中である場合に、該優先的に出力する放送を表示画面上の助手席側に表示することを特徴とする請求項２または３に記載の受信装置。
【請求項５】  第１のチューナおよび第２のチューナを使用してそれぞれ無線放送を受信する受信方法であって、
少なくとも車載テレビ装置に対して外部接続された第１のチューナおよび／または第２のチューナについて、前記第１のチューナを使用した場合における前記無線放送の受信品質と、前記第２のチューナを使用した場合における前記無線放送の受信品質と、をそれぞれ評価する品質評価工程と、
前記品質評価工程による評価結果をもとに、出力内容を決定する出力制御工程と、
を含むことを特徴とする受信方法。
【発明の詳細な説明】
【０００１】
【発明の属する技術分野】
この発明は、複数のチューナを使用して無線放送を受信する受信装置およびその受信方法に関し、特に無線放送を高品質に受信可能なチューナを複数のチューナから自動的に選択する受信装置および受信方法に関する。
【０００２】
【従来の技術】
近年、車両に搭載される電子機器が多様化し、車載のテレビ装置が実現されている。また一方で、携帯用の電子機器が高性能化し、携帯機器でテレビ放送が受信可能となっている。
【０００３】
このようにテレビ放送の受信形態が多様化することで、携帯型のテレビ装置と車載テレビ装置や家庭用テレビ装置とを接続することが可能となり、複数のチューナを利用したテレビ放送の受信が考案されている。
【０００４】
例えば、特許文献１では、携帯電話端末を利用することにより、複雑なテレビジョン受信機のチューナ調整を簡単に行なう方法が開示されている。また、特許文献２では、携帯電話機とデジタルテレビとを連携させて、表示画面のサイズに制限のある携帯電話機を、画面サイズの大きいデジタルテレビで補完する構成が開示されている。
【０００５】
【特許文献１】
特開２００２−２７１８６０号公報
【特許文献２】
特開２００２−１０１４５７号公報
【０００６】
【発明が解決しようとする課題】
ところで、複数のチューナを利用可能である場合、チューナごとに放送の受信品質が異なるので、利用可能なチューナのうち、もっとも受信品質の高いチューナを使用することが望ましい。
【０００７】
しかしながら、上述した従来技術では、テレビ放送の受信自体はテレビ装置に予め据え付けたチューナを使用することが前提となっており、チューナの受信品質を比較し、チューナを選択することができなかった。
【０００８】
すなわち、従来の受信装置では、複数のチューナが接続されたとしても、そのチューナを有効に利用できておらず、放送の受信品質は予め定められたチューナによる制限を受けるという問題点があった。
【０００９】
本発明は、上述した従来技術による問題点を解消し、課題を解決するためになされたものであり、複数のチューナの受信品質を比較し、高品質に受信可能なチューナを自動的に選択する受信装置および受信方法を提供することを目的とする。
【００１０】
【課題を解決するための手段】
上述した課題を解決し、目的を達成するため、請求項１の発明に係る受信装置は、第１のチューナおよび第２のチューナを使用してそれぞれ無線放送を受信可能な受信装置であって、前記第１のチューナを使用した場合における前記無線放送の受信品質と、前記第２のチューナを使用した場合における前記無線放送の受信品質と、をそれぞれ評価する品質評価手段と、前記品質評価手段による評価結果をもとに、出力内容を決定する出力制御手段と、を備え、前記第１のチューナおよび／または前記第２のチューナは、車載テレビ装置に対して外部接続可能であることを特徴とする。
【００１１】
この請求項１の発明によれば、受信装置は、第１のチューナを使用した場合における前記無線放送の受信品質と、第２のチューナを使用した場合における前記無線放送の受信品質と、を評価し、その評価結果をもとに出力内容を決定する。
【００１２】
また、請求項２の発明に係る受信装置は、請求項１の発明において、前記出力制御手段は、前記第１のチューナを使用した場合における前記無線放送の受信品質と、前記第２のチューナを使用した場合における前記無線放送の受信品質とを比較し、受信品質が高いチューナを用いて受信した放送を優先的に出力し、前記優先的に出力する放送をモニタ上に表示する場合に、該優先的に出力する放送を表示画面上の助手席側に表示することを特徴とする。
【００１３】
この請求項２の発明によれば受信装置は、車載テレビ装置に設置もしくは外部接続された複数のチューナの受信品質を評価し、高品質な放送を助手席側に表示する。
【００１４】
また、請求項３の発明に係る受信装置は、請求項１に記載の発明において、前記第１のチューナがデジタルチューナであり、前記第２のチューナがアナログチューナである場合に、前記出力制御手段は、前記第１のチューナを使用した場合における前記無線放送の受信品質が閾値以上であれば前記第１のチューナを用いて受信した放送を優先的に出力し、前記優先的に出力する放送をモニタ上に表示する場合に、該優先的に出力する放送を表示画面上の助手席側に表示することを特徴とする。
【００１５】
この請求項３の発明によれば受信装置は、デジタルチューナの受信品質が閾値以上であれば、デジタルチューナを用いて受信した放送を優先的に助手席側に表示する。
【００１６】
また、請求項４の発明に係る受信装置は、請求項２または３の発明において、前記出力制御手段は、前記車載テレビ装置が設けられた車両が走行中である場合に、該優先的に出力する放送を表示画面上の助手席側に表示することを特徴とする。
【００１７】
この請求項４の発明によれば受信装置は、車載テレビ装置に設置もしくは外部接続されたチューナの受信品質を評価し、車両が走行中であれば、高品質な放送を助手席側に表示する。
【００１８】
また、請求項５の発明に係る受信方法は、第１のチューナおよび第２のチューナを使用してそれぞれ無線放送を受信する受信方法であって、少なくとも車載テレビ装置に対して外部接続された第１のチューナおよび／または第２のチューナについて、前記第１のチューナを使用した場合における前記無線放送の受信品質と、前記第２のチューナを使用した場合における前記無線放送の受信品質と、をそれぞれ評価する品質評価工程と、前記品質評価工程による評価結果をもとに、出力内容を決定する出力制御工程と、を含むことを特徴とする。
【００１９】
この請求項５の発明によれば受信方法は、第１のチューナを使用した場合における前記無線放送の受信品質と、第２のチューナを使用した場合における前記無線放送の受信品質と、を評価し、その評価結果をもとに出力内容を決定する。
【００２０】
また、本発明に係る受信装置は、前記第１のチューナおよび／または前記第２のチューナはアナログ放送を受信するアナログチューナであり、前記品質評価手段は、前記アナログチューナが受信した同期信号が示す同期信号周期の安定度をもとに前記受信品質を評価するようにしてもよい。
【００２１】
この発明によれば受信装置は、アナログチューナが受信した同期信号が示す同期信号周期の安定度をもとに、アナログチューナの受信品質を評価し、その評価結果をもとに出力内容を決定する。
【００２２】
また、本発明に係る受信装置は、前記第１のチューナおよび／または前記第２のチューナはアナログ放送を受信するアナログチューナであり、前記品質評価手段は、前記アナログチューナが受信した同期信号の安定度をもとに前記受信品質を評価するようにしてもよい。
【００２３】
この発明によれば受信装置は、アナログチューナが受信した同期信号の安定度をもとに、アナログチューナの受信品質を評価し、その評価結果をもとに出力内容を決定する。
【００２４】
また、本発明に係る受信装置は、前記第１のチューナおよび／または前記第２のチューナはアナログ放送を受信するアナログチューナであり、前記品質評価手段は、前記アナログチューナが受信した色副搬送波の振幅の安定度をもとに前記受信品質を評価するようにしてもよい。
【００２５】
この発明によれば受信装置は、アナログチューナが受信した色副搬送波の振幅の安定度をもとにアナログチューナの受信品質を評価し、その評価結果をもとに出力内容を決定する。
【００２６】
また、本発明に係る受信装置は、前記第１のチューナおよび／または前記第２のチューナはアナログ放送を受信するアナログチューナであり、前記品質評価手段は、前記アナログチューナが受信した色副搬送波の位相の安定度をもとに前記受信品質を評価するようにしてもよい。
【００２７】
この発明によれば受信装置は、アナログチューナが受信した色副搬送波の位相の安定度をもとにアナログチューナの受信品質を評価し、その評価結果をもとに出力内容を決定する。
【００２８】
また、本発明に係る受信装置は、前記第１のチューナおよび／または前記第２のチューナはアナログ放送を受信するアナログチューナであり、前記品質評価手段は、前記アナログチューナによる受信電波強度をもとに前記受信品質を評価するようにしてもよい。
【００２９】
この発明によれば受信装置は、アナログチューナによる受信電波強度をもとにアナログチューナの受信品質を評価し、その評価結果をもとに出力内容を決定する。
【００３０】
また、本発明に係る受信装置は、前記第１のチューナおよび／または前記第２のチューナはアナログ放送を受信するアナログチューナであり、前記品質評価手段は、前記アナログチューナによる受信電波強度の変化量をもとに前記受信品質を評価するようにしてもよい。
【００３１】
この発明によれば受信装置は、アナログチューナによる受信電波強度の変化量をもとにアナログチューナの受信品質を評価し、その評価結果をもとに出力内容を決定する。
【００３２】
また、本発明に係る受信装置は、前記第１のチューナおよび／または前記第２のチューナはデジタル放送を受信するデジタルチューナであり、前記品質評価手段は、前記デジタルチューナが受信した同期信号の周期をもとに前記受信品質を評価するようにしてもよい。
【００３３】
この発明によれば受信装置は、デジタルチューナが受信した同期信号の周期をもとにデジタルチューナの受信品質を評価し、その評価結果をもとに出力内容を決定する。
【００３４】
また、本発明に係る受信装置は、前記第１のチューナおよび／または前記第２のチューナはデジタル放送を受信するデジタルチューナであり、前記品質評価手段は、前記デジタルチューナが受信したデジタル放送を復号する際の誤り訂正数をもとに前記受信品質を評価するようにしてもよい。
【００３５】
この発明によれば受信装置は、デジタルチューナが受信したデジタル放送を復号する際の誤り訂正数をもとにデジタルチューナの受信品質を評価し、その評価結果をもとに出力内容を決定する。
【００３６】
また、本発明に係る受信装置は、前記出力制御手段は、前記優先的に出力する放送を選択的に出力し、他の放送の出力を抑制するようにしてもよい。
【００３７】
この発明によれば受信装置は、複数のチューナの受信品質をもとに選択した１つの放送のみを出力する。
【００３８】
また、本発明に係る受信装置は、前記出力制御手段は、前記優先的に出力する放送をモニタ上に表示する場合に、該優先的に出力する放送に割り当てる表示画面の大きさを、他の放送に割り当てる表示画面の大きさに比して大きくするようにしてもよい。
【００３９】
この発明によれば受信装置は、複数のチューナの受信品質をもとに、品質の高い放送を他の放送に比して大きく表示する。
【００４０】
また、本発明に係る受信装置は、前記出力制御手段は、表示画面に予め設定された表示位置に前記優先的に出力する放送を表示するようにしてもよい。
【００４１】
この発明によれば受信装置は、複数のチューナの受信品質をもとに、品質の高い放送を予め設定された表示位置に表示する。
【００４２】
また、本発明に係る受信装置は、前記第１のチューナおよび／または前記第２のチューナは、車載テレビ装置に設けられたチューナであってもよい。
【００４３】
この発明によれば受信装置は、車載テレビ装置に設けられたチューナの受信品質を評価し、その評価結果をもとに出力内容を決定する。
【００４４】
また、本発明に係る受信方法は、前記第１のチューナおよび／または前記第２のチューナはアナログ放送を受信するアナログチューナであり、前記品質評価工程は、前記アナログチューナが受信した同期信号が示す同期信号周期の安定度、前記アナログチューナが受信した同期信号の安定度、前記アナログチューナが受信した色副搬送波の振幅の安定度、前記アナログチューナが受信した色副搬送波の位相の安定度、前記アナログチューナによる受信電波強度、および前記アナログチューナによる受信電波強度の変化量のうち、少なくとも１つを用いて前記受信品質を評価するようにしてもよい。
【００４５】
この発明によれば受信方法は、アナログチューナが受信した同期信号が示す同期信号周期の安定度、同期信号自体の安定度、色副搬送波の振幅の安定度、色副搬送波の位相の安定度、受信電波強度、および受信電波強度の変化量のうち少なくとも１つをもとに、アナログチューナの受信品質を評価し、その評価結果をもとに出力内容を決定する。
【００４６】
また、本発明に係る受信方法は、前記第１のチューナおよび／または前記第２のチューナはデジタル放送を受信するデジタルチューナであり、前記品質評価工程は、前記デジタルチューナが受信した同期信号の周期および／または前記デジタルチューナが受信したデジタル放送を復号する際の誤り訂正数をもとに前記受信品質を評価するようにしてもよい。
【００４７】
この発明によれば受信方法は、デジタルチューナが受信した同期信号の周期や、デジタル放送を復号する際の誤り訂正数をもとにデジタルチューナの受信品質を評価し、その評価結果をもとに出力内容を決定する。
【００４８】
また、本発明に係る受信方法は、前記出力制御工程は、前記第１のチューナを使用した場合における前記無線放送の受信品質と、前記第２のチューナを使用した場合における前記無線放送の受信品質とを比較し、受信品質が高いチューナを用いて受信した放送を選択的もしくは優先的に出力するようにしてもよい。
【００４９】
この発明によれば受信方法は、複数のチューナの受信品質を比較し、受信品質の高いチューナを用いて受信した放送を選択的、もしくは優先的に出力する。
【００５０】
また、本発明に係る受信方法は、前記第１のチューナがデジタルチューナであり、前記第２のチューナがアナログチューナである場合に、前記出力制御工程は、前記第１のチューナを使用した場合における前記無線放送の受信品質が閾値以上であれば前記第１のチューナを用いて受信した放送を選択的もしくは優先的に出力するようにしてもよい。
【００５１】
この発明によれば受信方法は、デジタルチューナの受信品質が閾値以上であれば、デジタルチューナを用いて受信した放送を選択的もしくは優先的に出力する。
【００５２】
また、本発明に係る受信方法は、前記出力制御工程は、前記優先的に出力する放送をモニタ上に表示する場合に、該優先的に出力する放送に割り当てる表示画面の大きさを、他の放送に割り当てる表示画面の大きさに比して大きくするようにしてもよい。
【００５３】
この発明によれば受信方法は、複数のチューナの受信品質をもとに、品質の高い放送を他の放送に比して大きく表示する。
【００５４】
また、本発明に係る受信方法は、前記出力制御工程は、表示画面に予め設定された表示位置に前記優先的に出力する放送を表示するようにしてもよい。
【００５５】
この発明によれば受信方法は、複数のチューナの受信品質をもとに、品質の高い放送を予め設定された表示位置に表示する。
【００５６】
【発明の実施の形態】
以下に添付図面を参照し、この発明に係る受信装置および受信方法の好適な実施の形態である車載テレビ装置について説明する。
【００５７】
まず、アナログチューナとデジタルチューナと備え、アナログチューナの受信品質とデジタルチューナの受信品質を比較する車載テレビ装置の構成について説明する。図１は、アナログチューナとデジタルチューナとを備えた車載テレビ装置の概要構成を示す概要構成図である。同図に示すように、車載テレビ装置１０は、アンテナ１，２、アナログチューナ１１、デジタルチューナ１２、アナログ復調部１３、主制御部１４、デジタル復調部１５、ＭＰＥＧデコーダ１６、表示制御部１７およびモニタ１８を有する。
【００５８】
アナログチューナ１１は、アンテナ１と接続され、所定の周波数（チャンネル）の放送を受信してアナログ復調部１３に出力する。アナログ復調部１３は、アナログチューナ１１が受信した電波を復調して放送内容を再生し、表示制御部１７に出力する。また、アナログ復調部１３は、受信したアナログ放送の品質を示す品質評価信号を主制御部１４に出力する。
【００５９】
一方、デジタルチューナ１２は、アンテナ２と接続され、所定の周波数（チャンネル）の放送を受信してデジタル復調部１５に出力する。デジタル復調部１５は、デジタルチューナ１２が受信したチャンネルからＴＳ（Transport Stream）パケットを取り出してＭＰＥＧデコーダ１６に出力する。また、デジタル復調部１５は、受信したデジタル放送の品質を示す品質評価信号を主制御部１４に出力する。ＭＰＥＧデコーダ２４は、このＴＳパケットを動画データに変換して表示制御部１７に出力する。
【００６０】
主制御部１４は、車載テレビ装置１０を全体制御する制御部である。また、主制御部１４は、アナログ復調部１３およびデジタル復調部１５から受信した品質評価信号をもとに、モニタ１８に表示すべき表示内容を決定し、表示制御部１７を制御する。表示制御部１７は、主制御部１４に制御され、アナログ復調部１３が出力したアナログ放送画像とＭＰＥＧデコーダ１６が出力したデジタル放送画像とを用いて表示画像を作成し、モニタ１８に表示する。
【００６１】
具体的には、主制御部１４および表示制御部１７による表示画面の作成では、アナログ復調部１３が出力したアナログ放送の品質評価信号とデジタル復調部１５が出力した品質評価信号とを比較し、より高い品質の放送をモニタ１８に表示させる。
【００６２】
このように、アナログチューナ１１が受信したアナログ放送の品質と、デジタルチューナ１２が受信したデジタル放送の品質とを比較し、比較結果をもとにいずれの放送をモニタ１８に表示するか決定することで、受信品質の高いチューナを自動的に選択することができ、ユーザによる操作を必要とすることなく高品質な画像を表示することができる。
【００６３】
ところで、アナログ放送では受信品質の低下に伴って表示可能な画像の品質が徐々に低下する。一方、デジタル放送では受信品質の低下に対して誤り訂正を行うので、受信品質の低下が誤り訂正能力以内であれば画像品質の低下を防ぐことができ、受信品質の低下が誤り訂正能力を超えた場合に画像表示が不可能となる。
【００６４】
そこで、デジタル復調部１５が出力する品質評価信号をもとに、デジタル放送の受信品質が閾値以上である場合は常にデジタル放送をモニタ１８に表示させ、デジタル復調部１５が出力する品質評価信号が閾値未満である場合にアナログ放送をモニタ１８に表示させることとしてもよい。
【００６５】
図２は、デジタル放送の受信品質と閾値の比較によって表示内容を決定する場合における主制御部１４の処理動作を説明するフローチャートである。同図に示すように、主制御部１４は、まずデジタル復調部１５からデジタル放送の品質評価信号を取得する（ステップＳ１０１）。つぎに、主制御部１４は、デジタル放送の品質評価信号が閾値以上であるか否かを判定する（ステップＳ１０２）。
【００６６】
デジタル放送の品質評価信号が閾値以上である場合（ステップＳ１０２，Ｙｅｓ）、主制御部１４は、デジタル放送をモニタ１８に表示させる（ステップＳ１０３）。一方、デジタル放送の品質評価信号が閾値未満である場合（ステップＳ１０２，Ｎｏ）、主制御部１４は、アナログ放送をモニタ１８に表示させる。
【００６７】
このように、デジタル放送の品質が閾値以上である場合にはデジタル放送を表示させることで、誤り訂正能力のあるデジタル放送を優先して表示させるとともに、デジタル放送が視聴できない場合には自動的にアナログ放送に切り替えて表示させることができる。
【００６８】
つぎに、車載テレビ装置に、チューナを外部接続する場合について説明する。図３は、アナログチューナを有する車載テレビ装置にアナログチューナを有する携帯型テレビ装置を外部接続した構成を説明する説明図である。同図に示すように、携帯型テレビ装置２０は、アンテナ３、アナログチューナ２１、アナログ復調部２２、モニタ２３を有する。
【００６９】
アナログチューナ２１は、アンテナ３と接続され、所定の周波数（チャンネル）の放送を受信してアナログ復調部２２および車載テレビ装置３０に出力する。アナログ復調部２２は、アナログチューナ２１が受信した電波を復調して放送内容を再生し、モニタ２３に出力する。
【００７０】
一方、車載テレビ３０は、アンテナ１、アナログチューナ１１、切替部３１、アナログ復調部１３、主制御部３２、表示制御部１７およびモニタ１８を有する。ここで、アナログチューナ１１、アナログ復調部１３、表示制御部１７、モニタ１８の構成および動作は、図１に示した車載テレビ装置１０と同一であるので、同一の符号を付して説明を省略する。
【００７１】
切替部３１は、車載テレビ３０内部のアナログチューナ１１に接続されるとともに、携帯型テレビ装置２０内部のアナログチューナ２１と外部接続される。この切替部３１は、主制御部３２による制御を受けて、アナログチューナ１１の出力と、アナログチューナ２１の出力のいずれかをアナログ復調部１３に出力する。
【００７２】
主制御部３２は、車載テレビ３０を全体制御する制御部である。また、主制御部３２は、アナログ復調部１３から受信した品質評価信号をもとに、切替部３１および出力制御部１７の制御をおこなう。
【００７３】
より具体的には、主制御部３２は、切替部３１を制御してアナログチューナ１１をアナログ復調部１３に接続した場合の品質評価信号と、アナログチューナ２１をアナログ復調部１３に接続した場合の品質評価信号とをそれぞれ取得し、その取得結果をもとにモニタ１８に表示すべき表示内容を決定し、表示制御部１７を制御する。
【００７４】
このように、車載テレビ装置３０に予め設けたアナログチューナ１１が受信したアナログ放送の品質と、外部接続された携帯型テレビ装置２０のアナログチューナ２１が受信したアナログ放送の品質とを比較し、比較結果をもとにいずれの放送をモニタ１８に表示するかを決定することで、受信品質の高いアナログチューナを自動的に選択することができ、ユーザによる操作を必要とすることなく高品質な画像を車載テレビ装置３０側で表示することができる。
【００７５】
また、アナログチューナに限らず、デジタルチューナを備えた車載テレビ装置にデジタルチューナをさらに外部接続しても良い。図４は、デジタルチューナを有する車載テレビ装置にデジタルチューナを有する携帯型テレビ装置を外部接続した構成を説明する説明図である。同図に示すように、携帯型テレビ装置４０は、アンテナ４、アナログチューナ４１、デジタル復調部４２、ＭＰＥＧデコーダ４３およびモニタ４４を有する。
【００７６】
デジタルチューナ４１は、アンテナ４と接続され、所定の周波数（チャンネル）の放送を受信してデジタル復調部４２および車載テレビ装置５０に出力する。デジタル復調部４２は、デジタルチューナ４１が受信したチャンネルからＴＳ（Transport Stream）パケットを取り出してＭＰＥＧデコーダ４３に出力する。ＭＰＥＧデコーダ２４は、このＴＳパケットを動画データに変換してモニタ４４に表示する。
【００７７】
一方、車載テレビ５０は、アンテナ２、デジタルチューナ１２、切替部５１、デジタル復調部１５、主制御部５２、ＭＰＥＧデコーダ１６、表示制御部１７およびモニタ１８を有する。ここで、デジタルチューナ１２、デジタル復調部１５、ＭＰＥＧデコーダ１６、表示制御部１７およびモニタ１８の構成および動作は、図１に示した車載テレビ装置１０と同一であるので、同一の符号を付して説明を省略する。
【００７８】
切替部５１は、車載テレビ５０内部のデジタルチューナ１２に接続されるとともに、携帯型テレビ装置４０内部のデジタルチューナ４１と外部接続される。この切替部５１は、主制御部５２による制御を受けて、デジタルチューナ１２の出力と、アナログチューナ４１の出力のいずれかをデジタル復調部１５に出力する。
【００７９】
主制御部５２は、車載テレビ５０を全体制御する制御部である。また、主制御部５２は、デジタル復調部１５から受信した品質評価信号をもとに、切替部５１および出力制御部１７の制御をおこなう。
【００８０】
より具体的には、主制御部５２は、切替部５１を制御してデジタルチューナ１２をデジタル復調部１５に接続した場合の品質評価信号と、デジタルチューナ４１をデジタル復調部１５に接続した場合の品質評価信号とをそれぞれ取得し、その取得結果をもとにモニタ１８に表示すべき表示内容を決定し、表示制御部１７を制御する。
【００８１】
このように、車載テレビ装置５０に予め設けたデジタルチューナ１２が受信したデジタル放送の品質と、外部接続された携帯型テレビ装置４０のアナログチューナ４１が受信したアナログ放送の品質とを比較し、比較結果をもとにいずれの放送をモニタ１８に表示するかを決定することで、受信品質の高いチューナを自動的に選択することができ、ユーザによる操作を必要とすることなく高品質な画像を車載テレビ装置５０側で表示することができる。
【００８２】
ここで、車載テレビ装置３０，５０におけるチューナ選択の処理動作についてさらに説明する。図５は、車載テレビ装置３０，５０におけるチューナ選択の処理動作を説明するフローチャートである。同図に示すように、まず、主制御部３２，５２は、携帯型テレビ装置が接続されているか否かを判定する（ステップＳ２０１）。
【００８３】
携帯型テレビ装置が接続されていれば（ステップＳ２０１，Ｙｅｓ）、主制御部３２，５２は、携帯型テレビ装置の品質評価信号と車載テレビ装置の品質評価信号とを取得し、受信品質の比較を行う（ステップＳ２０２）。
【００８４】
その結果、携帯型テレビ装置の受信品質が車載テレビの受信品質以上であれば（ステップＳ２０２，Ｙｅｓ）、主制御部３２，５２は、携帯型テレビ装置のチューナを使用して放送を受信し、モニタ１８に表示する（ステップＳ２０４）。
【００８５】
一方、携帯型テレビ装置の受信品質が車載テレビ装置の受信品質未満である場合（ステップＳ２０２，Ｎｏ）、もしくは携帯型テレビ装置が接続されていない場合（ステップＳ２０１，Ｎｏ）、主制御部３２，５２は車載テレビのチューナを使用して放送を受信し、モニタ１８に表示する（ステップＳ２０３）。
【００８６】
このように、アナログ放送であるかデジタル放送であるかに関わらず、車載テレビ装置側と携帯テレビ装置側の受信品質を比較することで、より受信品質の高いチューナを自動的に選択することができる。
【００８７】
つぎに、アナログチューナとデジタルチューナとを共に備えた車載テレビ装置に、アナログチューナやデジタルチューナを外部接続する構成について説明する。図６は、アナログチューナとデジタルチューナとを共に備えた車載テレビ装置に、アナログチューナやデジタルチューナを外部接続した構成を説明する説明図である。
【００８８】
同図に示すように、携帯型テレビ装置２０は、アンテナ３、アナログチューナ２１、アナログ復調部２２、モニタ２３を有する。また、携帯型テレビ装置４０は、アンテナ４、アナログチューナ４１、デジタル復調部４２、ＭＰＥＧデコーダ４３およびモニタ４４を有する。この携帯型テレビ装置２０，４０の構成および動作は、図３および図４に示した携帯型テレビ装置と同様であるので、同一の構成要素に同一の符号を付して説明を省略する。
【００８９】
一方、車載テレビ装置６０は、アンテナ１，２、アナログチューナ１１、デジタルチューナ１２、切替部６１，６２、アナログ復調部１３、主制御部６３、デジタル復調部１５、ＭＰＥＧデコーダ１６、表示制御部１７およびモニタ１８を有する。
【００９０】
ここで、アンテナ１，２、アナログチューナ１１、デジタルチューナ１２、アナログ復調部１３、デジタル復調部１５、ＭＰＥＧデコーダ１６、表示制御部１７およびモニタ１８については、図１に示した車載テレビ装置１０と同様であるので、説明を省略する。
【００９１】
切替部６１は、車載テレビ６０内部のアナログチューナ１１に接続されるとともに、携帯型テレビ装置２０内部のアナログチューナ２１と外部接続される。この切替部６１は、主制御部６３による制御を受けて、アナログチューナ１１の出力と、アナログチューナ２１の出力のいずれかをアナログ復調部１３に出力する。
【００９２】
また、切替部６２は、車載テレビ６０内部のデジタルチューナ１２に接続されるとともに、携帯型テレビ装置４０内部のデジタルチューナ４１と外部接続される。この切替部６２は、主制御部６３による制御を受けて、デジタルチューナ１２の出力と、アナログチューナ４１の出力のいずれかをデジタル復調部１５に出力する。
【００９３】
主制御部６３は、車載テレビ装置６０を全体制御する制御部である。また、主制御部６３は、アナログ復調部１３およびデジタル復調部１５から受信した品質評価信号をもとに、切替部６１，６２および表示制御部１７の制御を行う。
【００９４】
この車載テレビ６０では、主制御部６３の制御によって、アナログチューナ１１，２１、デジタルチューナ１２，４１の受信品質を比較して受信品質の高いチューナを自動的に選択することができ、ユーザによる操作を必要とすることなく高品質な画像を表示することができる。
【００９５】
つづいて、チューナの受信品質を評価する品質評価信号について説明する。アナログチューナの受信品質を評価する品質評価信号としては、アナログチューナが受信した同期信号が示す同期間隔の安定度、同期信号自体の安定度、色副搬送波の振幅の安定度、色副搬送波の位相の安定度、受信電波強度、および受信電波強度の変化量などを用いることができる。
【００９６】
アナログチューナの品質評価信号として、同期信号周期の安定度を出力するアナログ復調部の構成を図７に示す。同図に示すように、アナログ復調部１３ａは、その内部にＩＦ検波増幅器７１、ＹＣ分離部７２、ＲＧＢ復調部７３、ＡＧＣ７４、同期分離部７５、ＡＦＣ７６を有する。
【００９７】
ＩＦ検波増幅器７１は、アナログチューナが受信した受信電波に対してＩＦ検波を行って増幅し、コンポジットビデオ信号としてＡＧＣ７４、ＹＣ分離部７２および同期分離部７５に出力する。ＡＧＣ７４は、ＩＦ検波増幅器７１の出力をもとにＩＦ検波増幅器７１の利得制御を行う。なお、ここでＡＧＣ７４にアナログチューナの利得制御を行わせるようにしてもよい。
【００９８】
同期分離部７５は、ＩＦ検波増幅器７１が出力したコンポジットビデオ信号から同期信号を分離してＡＦＣ７６に出力する。ＡＦＣ７６は、同期信号に対して自動周波数制御を実行して安定化し、ＲＧＢ復調部５４、出力制御部１７および主制御部７６に供給する。
【００９９】
一方、ＹＣ分離部７２は、コンポジットビデオ信号からＹ信号（輝度信号）およびＣ信号（色信号）をそれぞれ分離し、ＲＧＢ復調部７３に供給する。ＲＧＢ復調器７３は、ＡＦＣ７６から供給された同期信号に基づいて、Ｙ信号およびＣ信号に対してＲＧＢ復調を実行し、画像信号として出力制御部１７に供給する。
【０１００】
すなわち、アナログ復調部１３ａでは、ＡＦＣ７６が出力する同期信号が品質評価信号として主制御部に送信される。主制御部は、この同期信号が示す同期間隔（同期信号周期）を監視・計測し、計測した同期間隔（同期信号周期）と本来の同期間隔との差および変動が小さければ品質が高い、と評価する。
【０１０１】
また、アナログチューナの品質評価信号として、同期信号自体の安定度を出力するアナログ復調部の構成を図８に示す。同図に示すように、アナログ復調部１３ｂは、その内部にＩＦ検波増幅器７１、ＹＣ分離部７２、ＲＧＢ復調部７３、ＡＧＣ７４、同期分離部７５、ＡＦＣ７６を有する。これらの構成要素の動作については、図７に示したアナログ復調部１３ａと同様であるので、ここでは説明を省略する。
【０１０２】
このアナログ復調部１３ｂでは、同期信号分離部７５が出力した同期信号を品質評価信号として主制御部に送信する。同期信号分離部７５が出力する同期信号は、ＡＦＣ７６による周波数制御を受ける前の信号であるので、主制御部は、この同期信号の同期区間（帰線区間）を監視・計測し、計測した同期区間（帰線区間）と本来の同期区間との差および変動が小さければ品質が高い、と評価する。
【０１０３】
さらに、アナログチューナの品質評価信号として、色副搬送波の振幅の安定度を出力するアナログ復調部の構成を図９に示す。同図に示すように、アナログ復調部１３ｃは、その内部にＩＦ検波増幅器７１、ＹＣ分離部７２、ＲＧＢ復調部７３、ＡＧＣ７４、同期分離部７５、ＡＦＣ７６およびバースト振幅算出部７７を有する。なお、ＩＦ検波増幅器７１、ＹＣ分離部７２、ＲＧＢ復調部７３、ＡＧＣ７４、同期分離部７５、ＡＦＣ７６の動作については、図７に示したアナログ復調部１３ａと同様であるので、ここでは説明を省略する。
【０１０４】
バースト振幅算出部７７は、図９に示すように、バースト抽出部７７ａおよび振幅算出部７７ｂを有する。バースト抽出部７７ａは、ＡＦＣ７６から同期信号（バーストゲートパルス）を取得し、ＹＣ分離部７２からＣ信号（色信号）を取得する。バースト抽出部７７ｃは、Ｃ信号に含まれるカラーバースト信号（色副搬送波）をバーストゲートパルスのタイミングで抽出し、振幅算出部７７ｂに出力する。振幅算出部７７ｂは、抽出された色副搬送波の振幅を算出する。
【０１０５】
このアナログ復調部１３ｃでは、バースト振幅算出部７７が算出した色副搬送波の振幅を品質評価信号として主制御部に送信する。主制御部は、この色副搬送波の振幅を監視・計測し、計測した値が大きい場合、または変動が小さい場合に品質が高い、と評価する。なお、バースト振幅算出部７７にさらに平均化処理部を設け、振幅算出部７７ｂが算出した振幅値を数ライン分平均化して主制御部に送信するように構成してもよい。
【０１０６】
つぎに、アナログチューナの品質評価信号として、色副搬送波の位相の安定度を出力するアナログ復調部の構成を図１０に示す。同図に示すように、アナログ復調部１３ｄは、その内部にＩＦ検波増幅器７１、ＹＣ分離部７２、ＲＧＢ復調部７３、ＡＧＣ７４、同期分離部７５、ＡＦＣ７６およびＡＰＣ（自動位相制御回路）７８を有する。なお、ＩＦ検波増幅器７１、ＹＣ分離部７２、ＲＧＢ復調部７３、ＡＧＣ７４、同期分離部７５、ＡＦＣ７６の動作については、図７に示したアナログ復調部１３ａと同様であるので、ここでは説明を省略する。
【０１０７】
ＡＰＣ７８は、図１０に示すように、バースト抽出部７８ａ、位相比較部７８ｂ、ＬＰＦ（ローパスフィルタ）７８ｃおよびＶＯＣ（電圧制御発振器）７８ｄを有する。バースト抽出部７８ａは、ＡＦＣ７６から同期信号（バーストゲートパルス）を取得し、ＹＣ分離部７２からＣ信号（色信号）を取得する。バースト抽出部７７ｃは、Ｃ信号に含まれるカラーバースト信号（色副搬送波）をバーストゲートパルスのタイミングで抽出する。この色副搬送波は、位相比較部７８ｂ、ＬＰＦ７８ｃおよびＶＯＣ７８ｄによって位相制御され、ＲＧＢ復調部７３に供給される。
【０１０８】
このＡＰＣ７８は、位相比較部７８ｂが出力した信号を品質評価信号として主制御部に送信する。主制御部は、この信号の強度と変動を監視・計測し、計測した値と本来の値との差が小さい場合、または変動が小さい場合に品質が高い、と評価する。
【０１０９】
つぎに、アナログチューナの品質評価信号として、受信電波強度を出力するアナログ復調部の構成を図１１に示す。同図に示すように、アナログ復調部１３ｅは、その内部にＩＦ検波増幅器７１、ＹＣ分離部７２、ＲＧＢ復調部７３、ＡＧＣ７４、同期分離部７５、ＡＦＣ７６およびＡＤＣ（アナログ−デジタル変換器）７９を有する。なお、ＩＦ検波増幅器７１、ＹＣ分離部７２、ＲＧＢ復調部７３、ＡＧＣ７４、同期分離部７５、ＡＦＣ７６の動作については、図７に示したアナログ復調部１３ａと同様であるので、ここでは説明を省略する。
【０１１０】
ＡＤＣ７９は、図１１に示すように、ＡＧＣ７４の出力電圧を取得してデジタル信号に変換し、主制御部に送信する。すなわち、このアナログ復調部１３ｅは、ＡＧＣ７４の出力電圧（ＩＦ検波増幅されたコンポジットビデオ信号のゲイン）を品質評価信号として主制御部に送信する。主制御部は、この信号の強度を監視・計測し、計測した値と本来の値との差が小さい場合に品質が高い、と評価する。
【０１１１】
なお、ここではＡＧＣ７４の出力を直接主制御部に入力しているが、ＡＧＣ７４が出力したコンポジットビデオ信号の電圧値を取得し、数ライン分を平均化して主制御部に入力する構成としてもよい。また、ＡＧＣ７４がアナログチューナの利得制御を行う場合には、アナログチューナに対する利得制御信号を取得し、デジタル値に変換して品質評価信号として利用してもよい。
【０１１２】
つぎに、アナログチューナの品質評価信号として、受信電波強度の変化量を出力するアナログ復調部の構成を図１２に示す。同図に示すように、アナログ復調部１３ｆは、その内部にＩＦ検波増幅器７１、ＹＣ分離部７２、ＲＧＢ復調部７３、ＡＧＣ７４、同期分離部７５、ＡＦＣ７６および変化量算出部８０を有する。なお、ＩＦ検波増幅器７１、ＹＣ分離部７２、ＲＧＢ復調部７３、ＡＧＣ７４、同期分離部７５、ＡＦＣ７６の動作については、図７に示したアナログ復調部１３ａと同様であるので、ここでは説明を省略する。
【０１１３】
変化量算出部８０は、図１３に示すように、遅延回路８１、絶対値回路８２およびＡＤＣ８３を有する。遅延回路８１は、ＡＧＣ７４が出力したコンポジットビデオ信号を所定量遅延させる。この遅延させたコンポジットビデオ信号と元のコンポジットビデオ信号との差分を取り、絶対値回路８２によって絶対値を算出した後、ＡＤＣ８３によってデジタル値に変換することで、コンポジットビデオ信号の変化量を算出することができる。
【０１１４】
主制御部は、このコンポジットビデオ信号の変化量を監視・計測し、計測した値と本来の値との差が小さい場合に品質が高い、と評価する。
【０１１５】
なお、ここではコンポジットビデオ信号の変化量を直接主制御部に入力しているが、コンポジットビデオ信号の変化量を数ライン分平均化して主制御部に入力する構成としてもよい。また、ＡＧＣ７４がアナログチューナの利得制御を行う場合には、アナログチューナに対する利得制御信号を取得し、変化量を算出してもよい。
【０１１６】
つづいて、デジタルチューナの受信品質を評価する品質評価信号について説明する。デジタルチューナの受信品質を評価する品質評価信号としては、受信した同期信号の周期や、デジタル放送を復号する際の誤り訂正数を用いることができる。
【０１１７】
デジタル復調部１５の構成を図１４に示す。同図に示すように、デジタル復調部１５は、その内部にＡＤＣ９１、データシンボル読み出し部９２、復号処理部９３およびＴＳバッファ９４を有する。ＡＤＣ９１は、デジタルチューナが受信した受信電波をデジタル信号に変換してデータシンボル読み出し部９２に出力する。データシンボル読み出し部９２は、ＡＤＣ９１によってデジタル化された受信電波からデータシンボルを読み出して復号処理部９３に出力する。
【０１１８】
復号処理部９３は、データシンボルに対して復号処理を実行し、ＴＳパケットを取り出す。このＴＳパケットは、ＴＳバッファ３５に蓄積されたのち、ＭＰＥＧデコーダ２４に出力される。
【０１１９】
ここで、ＴＳパケットは図１５に示すように、ＴＳヘッダおよびＴＳペイロードからなる。このＴＳヘッダには、クロック同期用の信号であるＰＣＲが含まれる。またＴＳペイロードにはセクションヘッダ、記述子などに加え、誤り検出用信号ＣＲＣ３２が含まれる。
【０１２０】
主制御部は、ＰＣＲの周期を監視・計測し、計測した値と本来の値との差が小さい場合に品質が高い、と評価する。また、ＣＲＣ３２を用いて誤り検出を行った後、検出された誤り数が少なければ品質が高い、と評価する。
【０１２１】
ところで、各チューナの受信品質に基づいてモニタ１８への表示内容を決定する際に、必ずしもいずれかの放送のみを表示する必要はない。たとえば、モニタ１８に複数の放送内容を同時に表示させ、それぞれの放送の表示画面を受信品質に従って定めるようにしてもよい。
【０１２２】
図１６は、受信品質に基づいて複数の放送を同時に表示するモニタ画面の一例である。図１６において、モニタ画面１００は、受信した放送を表示するための表示画面１０１と表示画面１０２を有する。表示画面１０１は、表示画面１０２に比して大きく、受信品質の高いチューナが受信した放送の表示に使用する。また表示画面１０２は、比較的受信品質の低いチューナが受信した放送の表示に使用する。
【０１２３】
この表示画面１０１，１０２の大きさおよび位置は、予めメーカが設定してもよいし、ユーザが任意に設定可能としても良い。また、表示画面の数は、２つに限定されるものではなく、任意の数の表示画面を作成すればよい。
【０１２４】
このように、受信品質の高い放送を大きく表示させ、受信品質の低い放送を小さく表示することにより、モニタ画面１００を有効利用するとともに、受信品質に応じた表示を自動的に選択することができる。
【０１２５】
また、車載テレビ装置において、走行中にテレビ放送を視聴するのは助手席側のユーザであるため、放送内容をモニタ１８に表示する場合には助手席側に高品質な表示画面を作成することが望ましい。
【０１２６】
図１７は、助手席側に放送内容を助手席側に表示するモニタ画面の一例である。同図に示すように、モニタ画面１１０では、助手席側に表示画面１１１を作成し、運転席側に表示画面１１２を作成している。また、各種操作をモニタ上で行うため、タッチパネルを利用した操作ボタン１１３，１１４を作成している。
【０１２７】
助手席側の表示画面１１１は、助手席に座ったユーザの視聴のため、受信品質の高いチューナを使用して受信した放送を表示する。この表示画面の操作は、助手席側に作成した操作ボタン１１３を使用して行う。一方、運転席側の表示画面１１２は、運転者に対して他のチューナで受信した放送内容や、ナビゲーション画面を表示する。この表示画面１１２の操作は、運転席側に作成した操作ボタン１１４を使用して行う。
【０１２８】
このように、車載テレビ装置では、受信品質の高いチューナを自動的に選択し、その放送内容を助手席側に表示することで、テレビ放送を視聴する可能性の高い助手席側のユーザにとっての視認性を向上することができる。
【０１２９】
特に、車載テレビ装置を搭載した車両が走行中である場合、運転者によるテレビ放送の視聴は事故の原因となるため、強制的に助手席側に表示させることが望ましい。
【０１３０】
上述してきたように、本実施の形態に示した車載テレビ装置では、複数のチューナの受信品質を比較し、高品質に受信可能なチューナを自動的に選択し、ユーザによる操作を必要とすることなく高品質な画像を表示することができる。
【０１３１】
【発明の効果】
以上説明したように、請求項１の発明によれば、受信装置は、第１のチューナを使用した場合における前記無線放送の受信品質と、第２のチューナを使用した場合における前記無線放送の受信品質と、を評価し、その評価結果をもとに出力内容を決定するので、複数のチューナの受信品質を比較し、受信品質の高いチューナを自動的に選択可能な受信装置が得られるという効果を奏する。
【０１３２】
また、請求項２の発明によれば受信装置は、車載テレビ装置に設置もしくは外部接続された複数のチューナの受信品質を評価し、高品質な放送を助手席側に表示するので、助手席側のユーザの視認性を向上した車載用の受信装置が得られるという効果を奏する。
【０１３３】
また、請求項３の発明によれば受信装置は、デジタルチューナの受信品質が閾値以上であれば、デジタルチューナを用いて受信した放送を優先的に助手席側に表示するので、画像品質の高い放送を自動的に選択して助手席乗員に提供可能な受信装置が得られるという効果を奏する。
【０１３４】
また、請求項４の発明によれば受信装置は、車載テレビ装置に設置もしくは外部接続されたチューナの受信品質を評価し、車両が走行中であれば、高品質な放送を助手席側に表示するので、走行中の運転者による放送視聴を抑制し、もって安全運転に寄与する受信装置が得られるという効果を奏する。
【０１３５】
また、請求項５の発明によれば受信方法は、第１のチューナを使用した場合における前記無線放送の受信品質と、第２のチューナを使用した場合における前記無線放送の受信品質と、を評価し、その評価結果をもとに出力内容を決定するので、複数のチューナの受信品質を比較し、受信品質の高いチューナを自動的に選択可能な受信方法が得られるという効果を奏する。
【図面の簡単な説明】
【図１】
アナログチューナとデジタルチューナとを備えた車載テレビ装置の概要構成を示す概要構成図である。
【図２】
デジタル放送の受信品質と閾値の比較によって表示内容を決定する処理動作を説明するフローチャートである。
【図３】
アナログチューナを有する車載テレビ装置にアナログチューナを有する携帯型テレビ装置を外部接続した構成を説明する説明図である。
【図４】
デジタルチューナを有する車載テレビ装置にデジタルチューナを有する携帯型テレビ装置を外部接続した構成を説明する説明図である。
【図５】
図３，図４に示した車載テレビ装置におけるチューナ選択の処理動作を説明するフローチャートである。
【図６】
アナログチューナとデジタルチューナとを共に備えた車載テレビ装置に、アナログチューナやデジタルチューナを外部接続した構成を説明する説明図である。
【図７】
品質評価信号として同期信号周期の安定度を出力するアナログ復調部の構成を説明する説明図である。
【図８】
品質評価信号として、同期信号自体の安定度を出力するアナログ復調部の構成を説明する説明図である。
【図９】
品質評価信号として、色副搬送波の振幅の安定度を出力するアナログ復調部の構成を説明する説明図である。
【図１０】
品質評価信号として、色副搬送波の位相の安定度を出力するアナログ復調部の構成を説明する説明図である。
【図１１】
品質評価信号として、受信電波強度を出力するアナログ復調部の構成を説明する説明図である。
【図１２】
品質評価信号として、受信電波強度の変化量を出力するアナログ復調部の構成を説明する説明図である。
【図１３】
図１２に示した変化量算出部の構成例を説明する説明図である。
【図１４】
デジタル復調部の構成を説明する説明図である。
【図１５】
ＴＳパケットのデータ構造を説明する説明図である。
【図１６】
受信品質に基づいて複数の放送を同時に表示するモニタ画面の一例を示す図である。
【図１７】
助手席側に放送内容を助手席側に表示するモニタ画面の一例を示す図である。
【符号の説明】
１，２    アンテナ
１０，２０，３０，４０，５０，６０    車載テレビ装置
１１，２１    アナログチューナ
１２，４１    デジタルチューナ
１３，１３ａ〜１３ｆ，２２    アナログ復調部
１４，３２，５２，６３    主制御部
１５，４２    デジタル復調部
１６，４３    ＭＰＥＧデコーダ
１７    表示制御部
１８，２３，４４    モニタ
３１，５１，６１，６２    切替部
７１    ＩＦ検波増幅器
７２    ＹＣ分離部
７３    ＲＧＢ復調部
７４    ＡＧＣ
７５    同期分離部
７６    ＡＦＣ
７７    バースト振幅算出部
７７ａ，７８ａ  バースト抽出部
７７ｂ  振幅算出部
７８    ＡＰＣ
７８ｂ  位相比較器
７８ｃ  ＬＰＦ
７８ｃ  ＶＯＣ
７９，８３，９１    ＡＤＣ
８０    変化量算出部
８１    遅延回路
８２    絶対値回路
９２    データシンボル読み出し部
９３    復号処理部
９４    ＴＳバッファ
１００，１１０    モニタ画面
１０１，１０２，１１１，１１２    表示画面
１１３，１１４    操作ボタン